(57)【特許請求の範囲】
【請求項１】
給水管からの水の流量を電気信号に基づいて調節する水量調節バルブと、
給湯管からの湯の流量を電気信号に基づいて調節する湯量調節バルブと、
前記水量調節バルブで流量が調節された水と前記湯量調節バルブで流量が調節された湯とを混合して混合水を流出する混合部と、
前記混合部から流出した前記混合水が流れる可撓性ホースと、
前記可撓性ホースにおける前記混合水の流入側の端部とは反対側の端部に接続されると共に、前記可撓性ホースを流れる前記混合水を吐水する吐水口を有する吐水部と、
水栓設置部材における前記水量調節バルブと前記湯量調節バルブと前記混合部とが配設される側の面の反対側の面に設置され、且つ、前記可撓性ホースが内側を通ると共に前記吐水部を保持する吐水部保持部と、
前記水栓設置部材に対して前記混合部が位置する側に配設され、前記可撓性ホースにおける前記混合水の流入側の端部を前記吐水部保持部に対して位置決めする位置決め部材と、
を備え、
前記可撓性ホースは前記混合部に接続されており、前記位置決め部材は前記混合部の位置決めを行い、
前記吐水部保持部は吐水管であり、前記混合部は前記吐水管の中心軸から外れた位置に配置されることを特徴とする湯水混合水栓。
【請求項２】
給水管からの水の流量を電気信号に基づいて調節する水量調節バルブと、
給湯管からの湯の流量を電気信号に基づいて調節する湯量調節バルブと、
前記水量調節バルブで流量が調節された水と前記湯量調節バルブで流量が調節された湯とを混合して混合水を流出する混合部と、
前記混合部から流出した前記混合水が流れる可撓性ホースと、
前記可撓性ホースにおける前記混合水の流入側の端部とは反対側の端部に接続されると共に、前記可撓性ホースを流れる前記混合水を吐水する吐水口を有する吐水部と、
水栓設置部材における前記水量調節バルブと前記湯量調節バルブと前記混合部とが配設される側の面の反対側の面に設置され、且つ、前記可撓性ホースが内側を通ると共に前記吐水部を保持する吐水部保持部と、
前記水栓設置部材に対して前記混合部が位置する側に配設され、前記可撓性ホースにおける前記混合水の流入側の端部を前記吐水部保持部に対して位置決めする位置決め部材と、
を備え、
前記可撓性ホースは、前記混合部とは別体の可撓性ホース接続部に接続されており、
前記混合部と前記可撓性ホース接続部とは可撓性のあるホースで接続され、
前記位置決め部材は、前記可撓性ホース接続部の位置決めを行うことを特徴とする湯水混合水栓。
【請求項３】
前記水量調節バルブと前記混合部との間、及び前記湯量調節バルブと前記混合部との間は、共に可撓性のあるホースで接続することを特徴とする請求項１又は２に記載の湯水混合水栓。
【請求項４】
給水管からの水の流量を電気信号に基づいて調節する水量調節バルブと、
給湯管からの湯の流量を電気信号に基づいて調節する湯量調節バルブと、
前記水量調節バルブで流量が調節された水と前記湯量調節バルブで流量が調節された湯とを混合して混合水を流出する混合部と、
前記混合部から流出した前記混合水が流れる可撓性ホースと、
前記可撓性ホースにおける前記混合水の流入側の端部とは反対側の端部に接続されると共に、前記可撓性ホースを流れる前記混合水を吐水する吐水口を有する吐水部と、
水栓設置部材における前記水量調節バルブと前記湯量調節バルブと前記混合部とが配設される側の面の反対側の面に設置され、且つ、前記可撓性ホースが内側を通ると共に前記吐水部を保持する吐水部保持部と、
前記水栓設置部材に対して前記混合部が位置する側に配設され、前記可撓性ホースにおける前記混合水の流入側の端部を前記吐水部保持部に対して位置決めする位置決め部材と、
を備え、
前記可撓性ホースは前記混合部に接続されており、前記位置決め部材は前記混合部の位置決めを行い、
前記吐水部保持部はネジ部を有し、且つ、前記水栓設置部材には前記ネジ部が通る貫通孔が形成されており、
前記吐水部保持部は、前記水栓設置部材における前記吐水部保持部を設置する側の面から前記貫通孔に前記ネジ部が通されており、前記ネジ部の先端側から締付ナットが前記ネジ部に螺合された状態で前記水栓設置部材に固定し、
前記位置決め部材は、前記混合部を前記締付ナットにて取り付けることを特徴とする湯水混合水栓。
【請求項５】
前記吐水部保持部はネジ部を有し、且つ、前記水栓設置部材には前記ネジ部が通る貫通孔が形成されており、
前記吐水部保持部は、前記水栓設置部材における前記吐水部保持部を設置する側の面から前記貫通孔に前記ネジ部が通されており、前記ネジ部の先端側から締付ナットが前記ネジ部に螺合された状態で前記水栓設置部材に固定し、
前記位置決め部材は、前記可撓性ホース接続部を前記締付ナットにて取り付けることを特徴とする請求項２に記載の湯水混合水栓。
【発明の詳細な説明】
【技術分野】
【０００１】
本発明は、湯水混合水栓に関する。
【背景技術】
【０００２】
吐水口を備える近年の湯水混合水栓では、吐水口に可撓性のホースが接続され、このホースに引き出すことにより、吐水口を任意の場所に位置させる事が可能に構成されているものが増えている。例えば、特許文献１に記載されたホース収納式水栓では、カウンタの下方に配設される給水用と給湯用のサプライ管を上向きに延在させてカウンタ上の水栓本体に接続し、水栓本体から水と湯との混合水を流出させる流出管を水栓本体からカウンタの下方に延在させている。さらに、この流出管を、継手部材を介して可撓性ホースの一端に接続し、可撓性ホースの他端を、カウンタ上に設置される吐水管本体内を通して吐水ヘッドに接続している。
【０００３】
これにより、吐水管本体に保持されている吐水ヘッドを吐水管本体から外した場合、吐水ヘッドに接続される可撓性ホースも引き出される。従って、吐水ヘッドを任意の場所に移動させた場合でも、混合水が流れる流出管と吐水ヘッドとが可撓性ホースを介して接続される状態が維持され、吐水ヘッドから混合水を吐水させることができる。
【先行技術文献】
【特許文献】
【０００４】
【特許文献１】特開２００６−１４４３２７号公報
【発明の概要】
【発明が解決しようとする課題】
【０００５】
しかしながら、特許文献１に記載されたホース収納式水栓のように水栓本体をカウンタ上に設置した場合、水栓全体が大きくなるため、美観の観点で見るとあまり好ましいものではない。また、特許文献１に記載されたホース収納式水栓では、可撓性ホースの両端のうち、カウンタの下側に位置する端部の位置決めが行われていないため、吐水ヘッドを吐水管本体で保持する状態にすることによりカウンタの下方に位置する可撓性ホースの長さが長くなった場合、可撓性ホースは他の部材に干渉し易くなる。
【０００６】
つまり、カウンタの下方には、止水栓等の様々な部材が設置されているため、吐水管本体によって吐水ヘッドを保持したり、吐水管本体から取り外したりすることを繰り返すことによりカウンタ下での可撓性ホースの配設状態が変化した場合、可撓性ホースはこれらの部材に干渉し、干渉した部材に引っ掛かることが考えられる。これらのように、ホースの収納が可能な従来の水栓は、美観の向上と、他部材へのホースの干渉の点で改良の余地があった。
【０００７】
本発明は、上記に鑑みてなされたものであって、美観を向上させると共に、可撓性ホースの干渉を抑制することのできる湯水混合水栓を提供することを目的とする。
【課題を解決するための手段】
【０００８】
上述した課題を解決し、目的を達成するために、本発明に係る湯水混合水栓は、給水管からの水の流量を電気信号に基づいて調節する水量調節バルブと、給湯管からの湯の流量を電気信号に基づいて調節する湯量調節バルブと、前記水量調節バルブで流量が調節された水と前記湯量調節バルブで流量が調節された湯とを混合して混合水を流出する混合部と、前記混合部から流出した前記混合水が流れる可撓性ホースと、前記可撓性ホースにおける前記混合水の流入側の端部とは反対側の端部に接続されると共に、前記可撓性ホースを流れる前記混合水を吐水する吐水口を有する吐水部と、水栓設置部材における前記水量調節バルブと前記湯量調節バルブと前記混合部とが配設される側の面の反対側の面に設置され、且つ、前記可撓性ホースが内側を通ると共に前記吐水部を保持する吐水部保持部と、前記水栓設置部材に対して前記混合部が位置する側に配設され、前記可撓性ホースにおける前記混合水の流入側の端部を前記吐水部保持部に対して位置決めする位置決め部材と、を備え、前記可撓性ホースは前記混合部に接続されており、前記位置決め部材は前記混合部の位置決めを行い、前記吐水部保持部は吐水管であり、前記混合部は前記吐水管の中心軸から外れた位置に配置されることを特徴とする。
【００１０】
また、上述した課題を解決し、目的を達成するために、本発明に係る湯水混合水栓は、給水管からの水の流量を電気信号に基づいて調節する水量調節バルブと、給湯管からの湯の流量を電気信号に基づいて調節する湯量調節バルブと、前記水量調節バルブで流量が調節された水と前記湯量調節バルブで流量が調節された湯とを混合して混合水を流出する混合部と、前記混合部から流出した前記混合水が流れる可撓性ホースと、前記可撓性ホースにおける前記混合水の流入側の端部とは反対側の端部に接続されると共に、前記可撓性ホースを流れる前記混合水を吐水する吐水口を有する吐水部と、水栓設置部材における前記水量調節バルブと前記湯量調節バルブと前記混合部とが配設される側の面の反対側の面に設置され、且つ、前記可撓性ホースが内側を通ると共に前記吐水部を保持する吐水部保持部と、前記水栓設置部材に対して前記混合部が位置する側に配設され、前記可撓性ホースにおける前記混合水の流入側の端部を前記吐水部保持部に対して位置決めする位置決め部材と、を備え、前記可撓性ホースは、前記混合部とは別体の可撓性ホース接続部に接続されており、前記混合部と前記可撓性ホース接続部とは可撓性のあるホースで接続され、前記位置決め部材は、前記可撓性ホース接続部の位置決めを行うことを特徴とする。
【００１１】
また、上記湯水混合水栓において、前記水量調節バルブと前記混合部との間、及び前記湯量調節バルブと前記混合部との間は、共に可撓性のあるホースで接続することが好ましい。
【００１２】
また、上述した課題を解決し、目的を達成するために、本発明に係る湯水混合水栓は、給水管からの水の流量を電気信号に基づいて調節する水量調節バルブと、給湯管からの湯の流量を電気信号に基づいて調節する湯量調節バルブと、前記水量調節バルブで流量が調節された水と前記湯量調節バルブで流量が調節された湯とを混合して混合水を流出する混合部と、前記混合部から流出した前記混合水が流れる可撓性ホースと、前記可撓性ホースにおける前記混合水の流入側の端部とは反対側の端部に接続されると共に、前記可撓性ホースを流れる前記混合水を吐水する吐水口を有する吐水部と、水栓設置部材における前記水量調節バルブと前記湯量調節バルブと前記混合部とが配設される側の面の反対側の面に設置され、且つ、前記可撓性ホースが内側を通ると共に前記吐水部を保持する吐水部保持部と、前記水栓設置部材に対して前記混合部が位置する側に配設され、前記可撓性ホースにおける前記混合水の流入側の端部を前記吐水部保持部に対して位置決めする位置決め部材と、を備え、前記可撓性ホースは前記混合部に接続されており、前記位置決め部材は前記混合部の位置決めを行い、前記吐水部保持部はネジ部を有し、且つ、前記水栓設置部材には前記ネジ部が通る貫通孔が形成されており、前記吐水部保持部は、前記水栓設置部材における前記吐水部保持部を設置する側の面から前記貫通孔に前記ネジ部が通されており、前記ネジ部の先端側から締付ナットが前記ネジ部に螺合された状態で前記水栓設置部材に固定し、前記位置決め部材は、前記混合部を前記締付ナットにて取り付けることを特徴とする。
【００１３】
また、上記湯水混合水栓において、前記吐水部保持部はネジ部を有し、且つ、前記水栓設置部材には前記ネジ部が通る貫通孔が形成されており、前記吐水部保持部は、前記水栓設置部材における前記吐水部保持部を設置する側の面から前記貫通孔に前記ネジ部が通されており、前記ネジ部の先端側から締付ナットが前記ネジ部に螺合された状態で前記水栓設置部材に固定し、前記位置決め部材は、前記可撓性ホース接続部を前記締付ナットにて取り付けることが好ましい。
【発明の効果】
【００１４】
本発明に係る湯水混合水栓は、美観を向上させると共に、可撓性ホースの干渉を抑制することができる、という効果を奏する。
【図面の簡単な説明】
【００１５】
【図１】図１は、実施形態１に係る湯水混合水栓の構成例を示す摸式図である。
【図２】図２は、図１に示す湯水混合水栓の斜視図である。
【図３】図３は、図１のＡ部詳細図である。
【図４】図４は、図３のＢ−Ｂ矢視図である。
【図５】図５は、図３の斜視図である。
【図６】図６は、水側バルブの断面図である。
【図７】図７は、図６に示す主弁周りの詳細図である。
【図８】図８は、図７の保持溝周りの詳細図である。
【図９】図９は、水側バルブのパイロット弁周りの詳細図であり、パイロット弁の閉弁時の状態を示す説明図である。
【図１０】図１０は、水側バルブのパイロット弁周りの詳細図であり、ブリード流から本流に切り替わる状態を示す説明図である。
【図１１】図１１は、水側バルブのパイロット弁周りの詳細図であり、パイロット弁の開弁時の状態を示す説明図である。
【図１２】図１２は、実施形態２に係る湯水混合水栓の概略図である。
【図１３】図１３は、実施形態１に係る湯水混合水栓の変形例を示す説明図である。
【図１４】図１４は、実施形態２に係る湯水混合水栓の変形例を示す説明図である。
【発明を実施するための形態】
【００１６】
以下に、本発明に係る湯水混合水栓の実施形態を図面に基づいて詳細に説明する。なお、この実施形態によりこの発明が限定されるものではない。また、下記実施形態における構成要素には、当業者が置換可能かつ容易なもの、或いは実質的に同一のものが含まれる。
【００１７】
〔実施形態１〕
図１は、実施形態１に係る湯水混合水栓の構成例を示す摸式図である。図２は、図１に示す湯水混合水栓の斜視図である。同図に示す湯水混合水栓１０は、洗面台（図示省略）等に設けられる水栓設置部材であるカウンタ１に設置されている。詳しくは、カウンタ１の上側の面であり、カウンタ１の外面である設置面２に吐水管１１が設置されている。この吐水管１１は、グースネック状に湾曲した略筒状の形状で形成されており、その先端には、吐水ヘッド１４を保持することが可能になっている。この吐水ヘッド１４は、先端に水や湯を吐水する吐水口１５が形成されており、吐水ヘッド１４は、吐水口１５を有する吐水部として設けられている。吐水管１１は、このように吐水口１５が形成される吐水ヘッド１４を保持する吐水部保持部として設けられており、吐水ヘッド１４は、吐水管１１を介してカウンタ１に設置される。
【００１８】
また、カウンタ１の下方側には、給水管からの水の流量を電気信号に基づいて調節する水量調節バルブである水側バルブ３１と、給湯管からの湯の流量を電気信号に基づいて調節する湯量調節バルブである湯側バルブ３２とが配設されている。このうち、水側バルブ３１は、給水管を流れる水の流出や止水を切り替える水止水栓４１を介して給水管に接続されている。また、湯側バルブ３２は、給湯器（図示省略）で温度を上昇させた湯が流れる給湯管からの湯の流出や止水を切り替える湯止水栓４２を介して給湯管に接続されている。
【００１９】
また、カウンタ１の下方側には、これらのバルブを制御する制御部５０が配設されている。この制御部５０は、電子制御装置として構成されており、ハード構成は、ＣＰＵ（Ｃｅｎｔｒａｌ  Ｐｒｏｃｅｓｓｉｎｇ  Ｕｎｉｔ）等を有する処理部や、ＲＡＭ（Ｒａｎｄｏｍ  Ａｃｃｅｓｓ  Ｍｅｍｏｒｙ）等の記憶部等を備えた公知の構成であるため、説明は省略する。
【００２０】
この制御部５０には、カウンタ１の設置面２に設置される操作部５５が電気的に接続されており、操作部５５に対して入力した際には、入力した情報は制御部５０に伝達される。操作部５５に対しては、例えば、吐水ヘッド１４から吐水する水と湯との混合水の温度や吐水時の流量等が入力可能になっており、これらの情報は制御部５０に伝達される。制御部５０は、これらの情報に基づいた制御信号を電気信号として水側バルブ３１と湯側バルブ３２とに送信する。水側バルブ３１と湯側バルブ３２とは、この制御部５０から送信される電気信号に基づいて作動し、水や湯の流量を調節する。
【００２１】
なお、操作部５５は、カウンタ１の設置面２以外に設置されていてもよく、例えば、吐水管１１に設置されていてもよい。また、このカウンタ１の下方側の部分は、湯水混合水栓１０の通常の使用時は扉等によって遮蔽され、外部からは視認できないようになっている。
【００２２】
水側バルブ３１と湯側バルブ３２とには、それぞれ水や湯の流出側にホースが接続されている。具体的には、水側バルブ３１には水側ホース３５が接続され、湯側バルブ３２には湯側ホース３６が接続されている。これらの水側ホース３５と湯側ホース３６とは、共に可撓性のあるホースが用いられている。
【００２３】
また、水側ホース３５と湯側ホース３６との他端側は、水側バルブ３１で流量が調節された水と湯側バルブ３２で流量が調節された湯とを混合して混合水を流出する混合部２５に接続されている。即ち、水側バルブ３１と混合部２５との間は水側ホース３５によって接続されており、湯側バルブ３２と混合部２５との間は湯側ホース３６によって接続されている。
【００２４】
また、混合部２５には、可撓性を有する可撓性ホース２０が、さらに接続されている。この可撓性ホース２０は、混合部２５における混合水の流出部分に接続されている。このため、可撓性ホース２０には、混合部２５から流出した混合水が流れるようになっている。詳しくは、水側ホース３５と湯側ホース３６は、混合部２５における側面に、互いに反対方向側から混合部２５に接続されている。即ち、水側ホース３５と湯側ホース３６は、混合部２５に対して水平方向における互い反対方向側から混合部２５に接続されている。また、可撓性ホース２０は、混合部２５の下方側から混合部２５の底面に接続されている。
【００２５】
また、可撓性ホース２０の他端側は、吐水ヘッド１４に接続されている。このため、吐水ヘッド１４は、可撓性ホース２０における混合水の流入側の端部の反対側の端部に接続され、可撓性ホース２０を流れる混合水を吐水することが可能になっている。即ち、可撓性ホース２０は、混合部２５から下方に垂らされた先の部分が上方に折り返され、カウンタ１の方向に向かっている。さらに、可撓性ホース２０は、カウンタ１に設置されている吐水管１１の内側に入り込む。
【００２６】
つまり、吐水管１１は、カウンタ１の設置面２に設置されているが、この吐水管１１は略筒状の形状で形成されており、その端部は、カウンタ１における水側バルブ３１と湯側バルブ３２と混合部２５とが配設される側の面である機器側面３側に開口している。可撓性ホース２０は、この吐水管１１の端部から吐水管１１内に入り込み、吐水管１１の内側を通って吐水ヘッド１４に接続されている。
【００２７】
図３は、図１のＡ部詳細図である。図４は、図３のＢ−Ｂ矢視図である。図５は、図３の斜視図である。ここで、吐水管１１におけるカウンタ１への設置部分について説明すると、カウンタ１には、設置面２から機器側面３にかけて貫通した貫通孔５が形成されている。また、吐水管１１におけるカウンタ１に設置する側の端部付近には、外径が貫通孔５の内径よりも大きくなっており、カウンタ１の設置面に接触する部分である台座部１２が形成されている。さらに、台座部１２からは、外径が貫通孔５の内径よりも小さく、長さがカウンタ１の厚さよりも長くなって形成されるネジ部１３が延在している。このネジ部１３は、外周面にネジ山が形成された雄ネジになっている。略筒状の形状で形成される吐水管１１は、このネジ部１３も含めて筒状に形成されており、このため、ネジ部１３の先端は開口している。
【００２８】
吐水管１１をカウンタ１に設置する際には、カウンタ１における設置面２側から貫通孔５にネジ部１３を通し、台座部１２を設置面２に接触させる。ネジ部１３の長さはカウンタ１の厚さよりも長いため、台座部１２が設置面２に接触した状態では、ネジ部１３の先端は、貫通孔５から機器側面３側に突出する。ネジ部１３における貫通孔５から突出している部分には、座金状の部材である馬蹄部材１６が通される。この馬蹄部材１６は、外径がカウンタ１の貫通孔５の径よりも大きい略円板状に形成され、且つ、外周面の一部が切り欠かれた形状になっており、さらに、板厚方向に、ネジ部１３の外径よりも若干大きい径の貫通孔が形成されている。この馬蹄部材１６の貫通孔に、ネジ部１３を先端側から通すことにより、ネジ部１３における貫通孔５から突出している部分に馬蹄部材１６を配設する。
【００２９】
さらに、ネジ部１３には、当該ネジ部１３と螺合する雌ネジが形成された締付ナット１７を螺合させる。この締付ナット１７は、当該締付ナット１７に形成される雌ネジの中心軸を中心とする外周面を有する軸部１８と、締付ナット１７を締め付ける際に用いる工具を掛ける部分である締付部１９と、を有しており、内側は中心軸の方向に貫通して内周面に雌ネジが形成されている。また、締付部１９は、軸部１８よりも径が大きい円筒状の形状で形成されており、外周面の一部に、工具を掛ける切欠き部が形成されている。
【００３０】
この締付部１９と軸部１８とは、雌ネジの中心軸に方向に並んで形成されており、締付ナット１７をネジ部１３に螺合させる場合は、ネジ部１３の先端側に対して締付ナット１７の軸部１８側から螺合させる。この向きで締付ナット１７をネジ部１３に対してねじ込むと、締付ナット１７における軸部１８側の端部が馬蹄部材１６に当接する。さらに、締付ナット１７をねじ込むと、馬蹄部材１６はカウンタ１の機器側面３に接触し、締付ナット１７とカウンタ１との間に馬蹄部材１６が介在する状態で締付ナット１７とネジ部１３とは螺合する。これにより、吐水管１１は台座部１２と馬蹄部材１６とでカウンタ１を挟んだ状態になるため、吐水管１１はカウンタ１に固定される。
【００３１】
吐水管１１が有するネジ部１３の先端は、吐水管１１をこのようにカウンタ１に固定した状態でも、締付ナット１７の内側が貫通しているため、ネジ部１３の先端の開口部分は締付ナット１７によって閉塞されておらず、下方側に向かって開口している。可撓性ホース２０は、カウンタ１の下方側から、このネジ部１３の先端の開口部分、即ち、吐水管１１の開口部分に入り込み、吐水管１１の内側を通って吐水ヘッド１４に接続されている。
【００３２】
また、カウンタ１への吐水管１１の固定に用いる締付ナット１７には、可撓性ホース２０が接続される混合部２５の位置決めを行う位置決め部材２６が取り付けられている。この位置決め部材２６は、締付ナット１７の軸部１８の外径よりも若干大きい内径の貫通孔が形成される略直方体の部材によって形成されており、この貫通孔には、締付ナット１７の軸部１８が通されている。締付ナット１７を吐水管１１のネジ部１３に螺合させた状態における軸部１８の下方側には締付部１９が位置しているため、軸部１８が通された位置決め部材２６は、この締付部１９に引っ掛かった状態になり、締付ナット１７に取り付けられる。
【００３３】
位置決め部材２６には、さらに、ビス２７によって混合部２５が取り付けられる。位置決め部材２６は、このように混合部２５を締付ナット１７に取り付ける部材として設けられており、混合部２５を締付ナット１７に取り付けることにより、可撓性ホース２０における混合水の流入側の端部を、吐水管１１に対して位置決めする。その際に、位置決め部材２６は、吐水管１１のネジ部１３に螺合する締付ナット１７に対して混合部２５を取り付けることにより、カウンタ１に対して混合部２５が位置する側に配設された状態で、同じ側に位置する可撓性ホース２０の端部を吐水管１１に対して位置決めする。
【００３４】
可撓性ホース２０は、混合部２５が位置決め部材２６によって位置決めされることにより、混合部２５に接続されている状態で混合部２５から下方に垂らされ、さらに、上方に折り返されて吐水管１１の内側に通されている。
【００３５】
次に、水側バルブ３１と湯側バルブ３２とについて説明する。なお、水側バルブ３１と湯側バルブ３２とは、基本的には同じ構成であるため、代表して水側バルブ３１を用いて構造の説明を行う。図６は、水側バルブの断面図である。図７は、図６に示す主弁周りの詳細図である。図８は、図７の保持溝周りの詳細図である。水側バルブ３１は、ボデー６０の内部に水の主流路６３が形成されており、主流路６３上には主弁８０が配設されている。この主流路６３は、水止水栓４１側から流入した水が流れる一次側流路６４と、当該水側バルブ３１で流量し、水側ホース３５に流入する水が流れる二次側流路６５と、を有している。
【００３６】
主弁８０はダイヤフラム式の弁になっており、硬質の主弁本体８１と、主弁本体８１に保持されると共にシール部材を兼ねたゴム製のダイヤフラム膜８５と、を有しており、さらに、パイロット弁ケース９０を有している。この主弁８０は、ボデー６０の形成される円筒部６７の図中上端に位置する主弁座６６に向けて進退移動することにより主流路６３を開閉したり、開度を変化させたりすることが可能になっている。
【００３７】
詳しくは、主弁８０は、主弁座６６に着座することによって主流路６３を遮断したり、主弁座６６から離間することによって主流路６３を開放したりすることができる。また、主流路６３の開放時は、主弁座６６からの主弁８０の離間量に応じて主流路６３の開度を大小変化させ、主流路６３を流れる水の流量を調節可能になっている。
【００３８】
また、主弁８０における主弁座６６が位置する側の反対側には、背圧室７５が形成されている。この背圧室７５は、内部の圧力を主弁８０に対して主弁座６６の方向、即ち閉弁方向への押圧力として作用させる。また、主弁８０には、当該主弁８０を貫通し、この背圧室７５と一次側流路６４とを連通させる導入小孔８２が形成されている。この導入小孔８２は、一次側流路６４からの水を背圧室７５に導いて背圧室７５の圧力を増大させることができるように形成されている。
【００３９】
また、主弁８０には、当該主弁８０を貫通して背圧室７５と二次側流路６５とを連通させる水路であるパイロット流路８３が形成されている。このパイロット流路８３は、背圧室７５内の水を二次側流路６５に抜くことにより、背圧室７５の圧力を減少させることができるように形成されている。
【００４０】
また、主弁８０には、パイロット弁ケース９０が備えられており、このパイロット弁ケース９０は、ボデー６０に形成されたガイド孔６２に摺動可能に嵌合されている。このパイロット弁ケース９０は、中心部にパイロット弁１００のためのガイド孔９１を有しており、パイロット弁１００は、このガイド孔９１に摺動可能に嵌合されている。これにより、パイロット弁１００は、ガイド孔９１によってガイドされながら、後述する操作軸１１０の軸方向に移動可能になっている。なお、パイロット弁ケース９０には切欠部（図示省略）が形成されており、この切欠部によって、背圧室７５と、ボデー６０に形成されたガイド孔６２及びパイロット弁ケース９０に形成されたガイド孔９１とが、互いに連通状態になっている。
【００４１】
また、パイロット弁ケース９０は、主弁本体８１が位置する側の端部に、Ｌ字状に折れ曲がった形態の係合突部９２を有しており、この係合突部９２を主弁本体８１の係合孔８６に係合させることにより、主弁本体８１と一体移動する状態に主弁本体８１に固定されている。主弁本体８１は、パイロット弁ケース９０と、ボデー６０のガイド孔６２とによるガイド作用によって案内されながら移動するように配設されている。
【００４２】
また、パイロット弁１００は、当該パイロット弁１００を移動操作する操作軸１１０を有している。この操作軸１１０は、くびれ部１１１を除いてその全体が断面円形、且つ、外径が軸方向の一端から他端に到るまで一様な棒状をなしている。パイロット弁１００は、操作軸１１０におけるくびれ部１１１よりも、図中上端側の一部にて構成されている。また、操作軸１１０には、くびれ部１１１の両端に、断面円形の直径が徐々に変化する傾斜面１１２が形成されている。
【００４３】
ここで、操作軸１１０とボデー６０との間は、Ｏリング等のリング状のシール部材１２０によって水密にシールされており、シール部材１２０は、支持部材１１５によって図中上向きに押さえられた状態で支持されている。また、この支持部材１１５は、中心部に挿通孔を有しており、操作軸１１０は、この挿通孔を挿通して、図中の下端側がボデー６０の凹所７０内に突き出している。
【００４４】
また、主弁８０には、その中心部に貫通孔が形成されており、この貫通孔の内周面と、操作軸１１０のくびれ部１１１との間に、パイロット流路８３が狭小幅で環状に形成されている。即ち、主弁８０には、中心の貫通孔の内周面に沿って軸心周りに環状をなすパイロット弁座８４が設けられている。このパイロット弁座８４には、円形の環状の保持溝１０３の内部に、弾性を有するＯリング等のリング状のシール部材１２１が保持されている。
【００４５】
このシール部材１２１は、保持溝１０３の溝底面１０５と、互いに対向する一対の溝側面１０４とによって保持されている。このうち、溝底面１０５と、図中下側の溝側面１０４とは、主弁本体８１に形成されており、図中上側の溝側面１０４は、パイロット弁ケース９０に形成されている。即ち、パイロット弁ケース９０は、主弁８０の移動案内をなす主弁ガイドとしての働きに加え、シール部材１２１に対するキャップとしての機能を有している。パイロット弁１００は、閉弁状態で、このシール部材１２１を介してパイロット弁座８４に水密に弾性嵌合し、パイロット流路８３を閉塞する。
【００４６】
また、保持溝１０３の内側には、パイロット弁ケース９０によって形成されている側の溝側面１０４からシール部材１２１に向けて突出しり凸形状のシール押え１０６が設けられている。このシール押え１０６は、パイロット弁１００における径方向に放射状に延びる形態で設けられている。例えば、シール押え１０６は、全体として十字状をなすように周方向に９０°ごとに隔たった４箇所に設けられている。即ち、シール押え１０６は、保持溝１０３の周方向に沿って９０°ごとに部分的に設けられている。これらのシール押え１０６は、保持溝１０３の全深さに亘って、つまり、上側の溝側面１０４の全幅に亘って設けられている。また、シール押え１０６は、下側の溝側面１０４との間でシール部材１２１を僅かに圧縮弾性変形させる状態に、即ち、溝側面１０４との間にシール部材１２１を挟み込み、溝側面１０４の方向に押圧可能に設けられている。
【００４７】
また、ボデー６０の外面における図中下方側には、水側バルブ３１の駆動部であるモータ１３０が取り付けられている。また、ボデー６０の内部の収容室６８には、雌ネジ部材１３５と、雄ネジ部材１３７と、雌ネジ部材１３５の回転角度位置を検出するセンサ１４０とが収容されている。このうち、センサ１４０は、雌ネジ部材１３５の外周面に形成されるリブ状の検知部１３６を検知することにより、雌ネジ部材１３５の回転角度位置を検出する。これにより、パイロット弁１００の軸方向位置を検出する。
【００４８】
雌ネジ部材１３５は、有底円筒状をなしていて、その内周面に雌ネジ部が形成されている。また、雌ネジ部材１３５の底部には、モータ１３０からの出力軸である回転軸１３１が結合されており、雌ネジ部材１３５がモータ１３０によって回転軸１３１と一体に回転するようになっている。
【００４９】
一方、雄ネジ部材１３７は、外周面に雄ネジ部が形成されており、この雄ネジ部が雌ネジ部材１３５の雌ネジ部に螺合している。また、雄ネジ部材１３７には、中心部には挿込孔１３８が形成されており、この挿込孔１３８には、操作軸１１０の図中の下端部が圧入状態に差し込まれている。これにより、雄ネジ部材１３７は、操作軸１１０と結合している。
【００５０】
このように構成される水側バルブ３１は、モータ１３０の駆動力によって回転軸１３１が回転すると、これと一体に雌ネジ部材１３５が回転運動し、この回転運動が雌ネジ部と雄ネジ部との螺合に基づいて雄ネジ部材１３７及び操作軸１１０の直線運動に変化される。これにより、雄ネジ部材１３７と操作軸１１０とは、操作軸１１０の軸方向にネジ送りによって進退移動する。操作軸１１０がこのように進退移動した場合、パイロット弁１００も一体に移動するため、これにより、主弁８０も開閉方向に動作する。
【００５１】
なお、雄ネジ部材１３７は、図中の上端部にフランジ部を有しており、フランジ部には、一対の切欠部が、周方向に１８０°隔たった２箇所に形成されている。このように設けられる切欠部は、ボデー６０の係合突起６９に係合しており、この係合作用により、雄ネジ部材１３７は回転阻止されている。
【００５２】
また、雄ネジ部材１３７には、挿込孔１３８の周りに円環状の溝１３９が形成されており、この溝１３９には、スプリング１４５の図中下方側の部分が挿入されている。このスプリング１４５は、雄ネジ部材１３７と支持部材１１５との間に介在し、軸方向の各端を雄ネジ部材１３７の溝１３９の底面と、支持部材１１５の下面とに当接させ、双方に対して互いに離れる方向の付勢力を付与している。
【００５３】
この実施形態１に係る湯水混合水栓１０は、以上のごとき構成からなり、以下、その作用について説明する。この湯水混合水栓１０で吐水を行う場合には、吐水ヘッド１４の吐水口１５から吐水する混合水の温度や流量を操作部５５に入力する。この入力した情報は制御部５０に伝達され、この情報に基づいて制御部５０で水側バルブ３１と湯側バルブ３２とを制御する。これにより、水側バルブ３１は、水止水栓４１を介して接続される給水管から流入する水を、制御部５０からの信号に基づいた流量に調節して、水側ホース３５の方向に流出する。同様に、湯側バルブ３２は、湯止水栓４２を介して接続される給湯管から流入する湯を、制御部５０からの信号に基づいた流量に調節して、湯側ホース３６の方向に流出する。
【００５４】
これらの水側ホース３５を流れる水と湯側ホース３６とを流れる湯とは、混合部２５で合流し、混合水となって可撓性ホース２０に流れる。可撓性ホース２０を流れる混合水は、当該可撓性ホース２０の端部に接続される吐水ヘッド１４から吐水される。これにより、操作部５５で入力した温度と流量の混合水が、吐水ヘッド１４の吐水口１５から吐水される。
【００５５】
ここで、この水側バルブ３１と湯側バルブ３２との動作について説明する。なお、水側バルブ３１と湯側バルブ３２とは、基本的には同じ構成であるため、代表して水側バルブ３１を用いて動作の説明を行う。図９〜図１１は、水側バルブのパイロット弁周りの詳細図であり、図９は、パイロット弁の閉弁時の状態、図１０は、ブリード流から本流に切り替わる状態、図１１は、パイロット弁の開弁時の状態を、それぞれ示している。パイロット弁１００の閉弁時は、パイロット弁１００はシール部材１２１を介してパイロット弁座８４に全周に亘り弾性嵌合しており、パイロット流路８３は閉塞している（図９）。
【００５６】
この状態から、操作軸１１０が図中上方向に移動した場合、シール部材１２１にも上方向の力が加わるが、シール部材１２１はシール押え１０６によって移動が阻止されている。このため、パイロット弁１００だけが単独で上向きに移動し、パイロット弁座８４との間に、詳しくはシール部材１２１との間に、一定の追従間隙ｄが生じる（図１０）。このように、追従間隙ｄが生じた場合、それまで生じていたブリード流から本流に切り替わり始める。
【００５７】
ブリード流から本流に切り替わり始めた状態から、操作軸１１０が図中上方向に移動すると、主弁８０はパイロット弁１００との間に一定の微小な追従間隙ｄを維持しつつ、パイロット弁１００に追従して図中上向きに移動して開弁する。これにより、主流路６３が開かれて、そこに水の流れが生じ、本流が生じる（図１１）。これにより、一次側流路６４側の水が二次側流路６５に流れる。
【００５８】
主弁８０が開弁している状態で、パイロット弁１００をさらに上向きに移動させた場合、主弁８０も同方向に移動するため、弁開度が大きくなり、主流路６３を流れる水の流路が増大する。反対に、パイロット弁１００を図中下向きに移動させると、主弁８０はパイロット弁１００に追従して下向きに移動するため、弁開度は小さくなり、主流路６３を流れる水の流路は減少する。このように、パイロット弁１００を下方に移動させて閉弁させると、主弁８０も閉弁状態になるため、主流路６３を閉鎖され、主流路６３の水の流れは停止する。
【００５９】
水側バルブ３１や湯側バルブ３２で水や湯の流量を調節する場合には、モータ１３０を駆動させて、これらのように操作軸１１０を介してパイロット弁１００を開閉させることにより行う。
【００６０】
これらのように、水側バルブ３１や湯側バルブ３２を作動させることにより吐水ヘッド１４の吐水口１５から吐水する混合水を所望の位置に吐水させる場合には、吐水ヘッド１４を吐水管１１から外すと共に可撓性ホース２０を吐水管１１から引き出し、吐水ヘッド１４を所望の位置に移動させる。吐水ヘッド１４は、このように、他端側が混合部２５に接続されている可撓性ホース２０に接続されているため、水側バルブ３１や湯側バルブ３２側からの混合水の流路を確保しつつ、可撓性ホース２０による撓みによって、所望の位置に移動させることができる。
【００６１】
ここで、このように吐水ヘッド１４を吐水管１１から外して所望の位置に移動させる場合には、その位置に応じて、カウンタ１の下方に位置する可撓性ホース２０が引き出される。即ち、吐水ヘッド１４の移動に伴ってカウンタ１下の可撓性ホース２０の長さが変化するが、カウンタ１下に位置する可撓性ホース２０の端部は、混合部２５が位置決め部材２６によって吐水管１１に対して位置決めされることにより、この端部も吐水管１１に対して位置決めされている。このため、カウンタ１下に位置する可撓性ホース２０は、端部の位置は変化せず、この端部と、吐水管１１に入り込んでいる部分の間の可撓性ホース２０の長さのみが変化する。
【００６２】
吐水ヘッド１４を移動させる場合には、このように、カウンタ１の下に位置する可撓性ホース２０は、位置決めされた端部と、吐水管１１に入り込んでいる部分との間の長さが変化することにより、カウンタ１の上に位置する部分の可撓性ホース２０の長さが変化し、吐水ヘッド１４までの混合水の流路を維持する。これにより、吐水ヘッド１４は、混合水を吐水しつつ、可撓性ホース２０が届く範囲内で自由に移動させることができる。
【００６３】
以上の湯水混合水栓１０は、混合水の流量や温度を調節する水側バルブ３１や湯側バルブ３２、さらに混合部２５を、カウンタ１における吐水管１１を設置する設置面２側の反対側に配設しているため、吐水管１１の周囲をすっきりさせることができる。また、吐水ヘッド１４に接続される可撓性ホース２０におけるカウンタ１下側の端部を、吐水管１１に対して位置決めしているため、吐水ヘッド１４の移動時にカウンタ１の可撓性ホース２０の長さが変化する際に、可撓性ホース２０がカウンタ１の下方に位置する他の機器類に干渉し難くすることができる。この結果、美観を向上させると共に、可撓性ホース２０の干渉を抑制することができる。
【００６４】
また、可撓性ホース２０は混合部２５に接続されており、位置決め部材２６は混合部２５の位置決めを行うため、可撓性ホース２０の端部の位置決めを容易に行うことができる。この結果、可撓性ホース２０の端部の位置決めを行う際の部品の点数を抑えることができ、製造コストを抑えることができる。
【００６５】
また、水側バルブ３１と混合部２５との間は、可撓性のある水側ホース３５で接続し、湯側バルブ３２と混合部２５との間は、可撓性のある湯側ホース３６で接続しているので、水側バルブ３１や湯側バルブ３２の配置を容易に行うことができる。この結果、湯水混合水栓１０の設置時の作業性を向上させることができる。
【００６６】
また、可撓性ホース２０の端部が接続される混合部２５は、吐水管１１の設置に用いる締付ナット１７に対して、位置決め部材２６によって取り付けられているため、可撓性ホース２０の端部の位置決めを、より確実に行うことが出来る。この結果、可撓性ホース２０の干渉を、より確実に抑制することができる。
【００６７】
［実施形態２］
実施形態２に係る湯水混合水栓２００は、実施形態１に係る湯水混合水栓１０と略同様の構成であるが、混合部２５と可撓性ホース接続部２１０とが別々になっている点に特徴がある。他の構成は実施形態１と同様なので、その説明を省略すると共に、同一の符号を付す。
【００６８】
図１２は、実施形態２に係る湯水混合水栓の概略図である。実施形態２に係る湯水混合水栓２００は、実施形態１に係る湯水混合水栓１０と同様に、水側バルブ３１と湯側バルブ３２とは、水側ホース３５と湯側ホース３６とによって混合部２５に接続されている。また、この混合部２５には、可撓性ホース２０ではなく、可撓性を有するホースである混合部ホース２１５が接続されている。この混合部ホース２１５の他端側は、可撓性ホース接続部２１０に接続されており、一端が吐水ヘッド１４に接続される可撓性ホース２０の他端側は、この可撓性ホース接続部２１０に接続されている。
【００６９】
本実施形態２に係る湯水混合水栓２００は、混合部２５は位置決め部材２６（図４等参照）によって締付ナット１７に取り付けられておらず、代わりに可撓性ホース接続部２１０が位置決め部材２６によって締付ナット１７に取り付けられている。可撓性ホース接続部２１０に接続される可撓性ホース２０は、この可撓性ホース接続部２１０の下方に垂らされ、さらに、上方に折り返されて吐水管１１の内側に通されている。このため、本実施形態２に係る湯水混合水栓２００では、カウンタ１の下方に位置する可撓性ホース２０の端部は、可撓性ホース接続部２１０を介して吐水管１１に対して位置決めされている。
【００７０】
この実施形態２に係る湯水混合水栓２００は、以上のごとき構成からなり、以下、その作用について説明する。湯水混合水栓２００で吐水を行う場合には、制御部５０からの電気信号に基づいて作動する水側バルブ３１と湯側バルブ３２とから、水側ホース３５と湯側ホース３６に水と湯とが流れ、混合部２５で混合する。混合部２５で混合した混合水は、混合部ホース２１５を伝わって可撓性ホース接続部２１０に流れ、可撓性ホース接続部２１０から可撓性ホース２０に流れる。さらに、可撓性ホース２０から吐水ヘッド１４に流れることにより、混合水は、吐水ヘッド１４から吐水される。
【００７１】
また、吐水ヘッド１４を吐水管１１から外して所望の位置に動かす場合には、カウンタ１下では、可撓性ホース２０における可撓性ホース接続部２１０に接続されている端部、即ち、可撓性ホース２０における位置決めされた端部と、吐水管１１に入り込んでいる部分との間の長さが変化する。これにより、カウンタ１の上に位置する部分の可撓性ホース２０の長さが変化し、吐水ヘッド１４は、混合水を吐水しつつ、可撓性ホース２０が届く範囲内で自由に移動させることができる。
【００７２】
以上の湯水混合水栓２００は、可撓性ホース２０の端部を接続する可撓性ホース接続部２１０を混合部２５とは別体で設け、この可撓性ホース接続部２１０の位置決めを行っているため、水側バルブ３１や湯側バルブ３２、混合部２５の配置位置に関わらず、可撓性ホース２０の端部の位置決めを行うことができる。この結果、可撓性ホース２０の干渉を、より確実に抑制することができる。
【００７３】
また、可撓性ホース接続部２１０の位置決めを行うことを介して可撓性ホース２０の端部の位置決めを行っているため、可撓性ホース２０の端部付近に位置するホースの数を減らすことができる。つまり、混合部２５には、可撓性ホース２０の他に水側ホース３５と湯側ホース３６との２本のホースが接続されるのに対し、可撓性ホース接続部２１０には、混合部ホース２１５の１本が接続されるのみになっている。従って、可撓性ホース２０の端部付近に位置するホースの本数を減らすことができ、可撓性ホース２０の干渉を、より確実に抑制することができる。
【００７４】
なお、上述した湯水混合水栓１０、２００では、水側バルブ３１と湯側バルブ３２とは、吐水管１１から見て同一方向に配置しているが、これ以外の形態で配置してもよい。図１３は、実施形態１に係る湯水混合水栓の変形例を示す説明図である。図１４は、実施形態２に係る湯水混合水栓の変形例を示す説明図である。例えば、実施形態１に係る湯水混合水栓１０では、水側バルブ３１と湯側バルブ３２とは、図１３に示すように、吐水管１１の両側に位置するように配置してもよく、同様に、実施形態２に係る湯水混合水栓２００でも、水側バルブ３１と湯側バルブ３２とは、図１４に示すように、吐水管１１の両側に位置するように配置してもよい。水側ホース３５と湯側ホース３６とを、共に可撓性を有するホースにすることにより、これらのように自在に配置することができ、湯水混合水栓１０、２００の設置場所に合わせて、容易に設置することができる。この結果、設置性がよく、使い易い湯水混合水栓１０、２００を得ることができる。
【００７５】
また、上述した湯水混合水栓１０、２００では、位置決め部材２６は、締付ナット１７の軸部１８が入り込む貫通孔を有し、この貫通孔に軸部１８を通して当該位置決め部材２６を締付ナット１７取り付けることにより、混合部２５や可撓性ホース接続部２１０を締付ナット１７に取り付けているが、位置決め部材２６は、これ以外の形態であってもよい。位置決め部材２６は、例えば、締付ナット１７の軸部１８に対する嵌め込み式のクリップ状に形成されていてもよい。これにより、混合部２５や可撓性ホース接続部２１０をビス２７等で取り付けたクリップを、締付ナット１７に嵌め込むことにより、可撓性ホース２０の位置決めを、容易に行うことができる。また、位置決め部材２６を嵌め込み式にすることにより、湯水混合水栓１０、２００の設置後に、必要に応じて混合部２５や可撓性ホース接続部２１０を締付ナット１７から取り外すことができ、メンテナンス等を行う場合の作業性を向上させることができる。
【００７６】
また、位置決め部材２６は、締付ナット１７以外に対して取り付けてもよい。位置決め部材２６は、締付ナット１７以外の部材でも、吐水管１１に対して位置決めを行うことのできるように設けられていれば、位置決めの手法は問わない。
【００７７】
また、上述した湯水混合水栓１０、２００では、吐水部保持部である吐水管１１は、水栓設置部材であるカウンタ１の上面に設置されているが、吐水部保持部は、水栓設置部材の上面以外に設置されていてもよい。吐水部保持部は、例えば水栓設置部材の下面側に設置されていてもよく、また、水栓設置部材の設置面が水平方向に面している場合には、吐水部保持部は、この水平方向の面に設置されていてもよい。水栓設置部材に対する吐水部保持部に設置状態に関わらず、水側バルブ３１や湯側バルブ３２、混合部２５、さらに、可撓性ホース２０の端部の位置決めをする位置決め部材２６が、水栓設置部材における吐水部保持部が設置される側の面の反対側の面に設置されていれば、その形態は問わない。
【符号の説明】
【００７８】
１  カウンタ（水栓設置部材）
２  設置面
３  機器側面
５  貫通孔
１０、２００  湯水混合水栓
１１  吐水管（吐水部保持部）
１２  台座部
１３  ネジ部
１４  吐水ヘッド（吐水部）
１５  吐水口
１７  締付ナット
２０  可撓性ホース
２５  混合部
２６  位置決め部材
３１  水側バルブ
３２  湯側バルブ
３５  水側ホース
３６  湯側ホース
５０  制御装置
５５  操作部
２１０  可撓性ホース接続部
２１５  混合部ホース
【図１】
0006013716.tif 000002
【図２】
0006013716.tif 000003
【図３】
0006013716.tif 000004
【図４】
0006013716.tif 000005
【図５】
0006013716.tif 000006
【図６】
0006013716.tif 000007
【図７】
0006013716.tif 000008
【図８】
0006013716.tif 000009
【図９】
0006013716.tif 000010
【図１０】
0006013716.tif 000011
【図１１】
0006013716.tif 000012
【図１２】
0006013716.tif 000013
【図１３】
0006013716.tif 000014
【図１４】
0006013716.tif 000015